(57)【要約】【課題】様々な形状を有する鼻にフィットすることができるとともに、鼻への負担を軽減して使用感を向上することができるノーズパッド及びアイウエアを提供する。【解決手段】ノーズパッド１５０は、パッド本体部１５０ａと、パッド本体部１５０ａから突起し、短手方向の右側に偏って位置するパッド接続部１５０ｂとを備え、パッド本体部１５０ａは、右側に位置し第１外面１５１０を有する第１部１５１と、左側に位置し第２外面１５２０を有する第２部１５２と、第１部１５１及び第２部１５２の間に位置する中央部１５３とを有し、メガネ１００の着用状態に、第１部１５１は鼻筋側に向かい、第２部１５２は鼻筋から離れる側に向かっており、第１部１５１の高さＨ１は第２部１５２の高さＨ２よりも低く、第２部１５２の中央部側の半部の最大幅Ｔ２´は、第２部の他の半部の最大幅Ｔ２よりも小さい。【選択図】図４
2020201298.tif 000002
【特許請求の範囲】
【請求項１】
アイウエアに使用されるノーズパッドであって、
前記ノーズパッドは、
湾曲する本体外面を有するパッド本体部と、
前記パッド本体部から突起し、前記パッド本体部の短手方向の第１端側に偏って位置するパッド接続部と、
を備え、
前記パッド本体部は、前記第１端側に位置し湾曲する第１外面を有する第１部と、前記第１端側に対向する第２端側に位置し湾曲する第２外面を有する第２部と、前記第１部及び前記第２部の間に位置し前記パッド接続部に接続する中央部と、を有し、
前記アイウエアの着用状態において、前記第１部は、鼻筋側に向かい、前記第２部は、鼻筋から離れる側に向かっており、
前記突起する方向を高さ方向とした場合、前記第１部の高さは前記第２部の高さよりも低く、
前記第２部の前記中央部側の半部の最大幅は、前記第２部の他の半部の最大幅よりも小さい、
ノーズパッド。
【請求項２】
前記第２部は、前記第２端側にある第２端部を有し、
前記第２端部の短手方向の断面における断面視形状は、略半円状、又は略Ｃ字状である、請求項１に記載のノーズパッド。
【請求項３】
前記第１部は、第１端部と、前記第１端部と前記中央部との間に位置する第１本部とを有し、
前記第２部は、第２端部と、前記第２端部と前記中央部との間に位置する第２本部とを有し、
前記第２本部の表面の最小曲率半径は、前記第１本部の表面の最小曲率半径よりも小さい、請求項１又は２に記載のノーズパッド。
【請求項４】
前記第２端部の端面の最大曲率半径は、前記第１端部の端面の最大曲率半径よりも大きい、請求項３に記載のノーズパッド。
【請求項５】
前記パッド本体部の短手方向の断面において、前記第２外面の表面の断面視の曲線の長さは、前記第１外面の表面の断面視の曲線の長さよりも長い、請求項３又は４の何れか一項に記載のノーズパッド。
【請求項６】
前記中央部の中央表面は、少なくとも一部がほぼ平面である、請求項１乃至５の何れか一項に記載のノーズパッド。
【請求項７】
前記パッド接続部は、前記パッド本体部の長手方向の略中央に位置し、
前記パッド本体部は、前記パッド接続部の位置を基準として、長手方向対称に形成されている、請求項１乃至６の何れか一項に記載のノーズパッド。
【請求項８】
前記パッド本体部と前記パッド接続部とは、同一の材料によって一体に構成されている単一部材である、請求項１乃至７の何れか一項に記載のノーズパッド。
【請求項９】
前記パッド本体部と前記パッド接続部との材料は、金属である、請求項８に記載のノーズパッド。
【請求項１０】
前記ノーズパッドは、前記パッド接続部に代えて、前記パッド本体部によって前記アイウエアと連結されている、請求項１乃至９の何れか一項に記載のノーズパッド。
【請求項１１】
請求項１乃至１０の何れか一項に記載のノーズパッドを有する、アイウエア。
【発明の詳細な説明】
【技術分野】
【０００１】
本発明は、ノーズパッド及びアイウエアに関する。
【背景技術】
【０００２】
特許文献１には、パッド本体と、該パッド本体の中心部に一体に設けられるパッド芯とからなり、パッド本体の表面を凸面に形成するとともに、表面側の縁部は、全周に亘って他の部分よりも曲率の大きい凸面に形成し、パッド本体の裏面を凹面に形成するとともに、裏面側の縁部は、全周に亘って他の部分よりも曲率の大きい凹面に形成し、パッド本体の外形は、パッド芯の中心を通る線を中心として、中心線の一方側と他方側の形状が異なる左右非対称に形成されるとともに、一方側の外周は、全て、外側に向かって凸状となる曲線又は直線からなり、他方側の外周は、その下半部に、外側に向かって凹状となる曲線を含む、ノーズパッドが開示されている。
【０００３】
また、特許文献２には、ノーズパッド本体１に鼻に接する側の面は、脚２の取付位置を基準として、その上方領域Ａは縦方向の曲率半径が２０ｍｍ以上、下方領域Ｂは縦方向の曲率半径が２５ｍｍ以下に、横方向内側領域Ｃは横方向の曲率半径が１２ｍｍ以下、外側領域Ｄは横方向の曲率半径が１０ｍｍ以上になる様にそれぞれ形成されている、眼鏡フレーム用の鼻当てパッドが開示されている。
【先行技術文献】
【特許文献】
【０００４】
【特許文献１】特許第４８０４７３６号公報
【特許文献２】実用新案登録第３０９１４３５号公報
【発明の概要】
【発明が解決しようとする課題】
【０００５】
しかしながら、鼻の形状の違いによって、ノーズパッドにおける鼻との接触部分が変わる。例えば、鼻が高い使用者がメガネを着用する際、ノーズパッドの短手方向の端部が鼻の鼻基部と接触することもある。これに対して、例えば、特許文献１に開示のノーズパッドは、周辺部が中央部よりも薄いため、ノーズパッドの短手方向の端部が鼻基部と接触する際に、接触面積の狭小による鼻への負担が生じるおそれがある。また、例えば、特許文献２に開示のノーズパッドでは、鼻基部と接触する側（外側領域Ｄ側）の端部の一部が平面であり、鼻基部と接触する側に対向する側（内側領域Ｃ側）に比べて厚みが薄いため、端部に形成できる湾曲面の範囲が小さい。その結果、特許文献２のその端部と鼻基部との接触が点接触になり、鼻への負担が生じてしまう。このため、特許文献１及び特許文献２に開示のノーズパッドは、様々な形状を有する鼻にフィットすることができない場合がある。
【０００６】
本発明はこのような事情に鑑みて発明されたものであり、本発明の目的は、様々な形状を有する鼻にフィットすることができるとともに、鼻への負担を軽減して使用感を向上することができるノーズパッド及びアイウエアを提供することである。
【課題を解決するための手段】
【０００７】
本発明の一態様におけるノーズパッドは、アイウエアに使用されるノーズパッドであって、前記ノーズパッドは、湾曲している外面を有するパッド本体部と、前記パッド本体部から突起し、前記パッド本体部の短手方向の第１端側に偏って位置するパッド接続部と、を備え、前記パッド本体部は、前記第１端側に位置し湾曲する外面を有する第１部と、前記第１端側に対向する第２端側に位置し湾曲する外面を有する第２部と、前記第１部及び前記第２部の間に位置し前記パッド接続部に接続する中央部と、を有し、前記アイウエアの着用状態において、前記第１部は、鼻筋側に向かい、前記第２部は、鼻筋から離れる側に向かっており、前記突起する方向を高さ方向とした場合、前記第１部の高さは前記第２部の高さよりも低く、前記第２部の前記中央部側の半部の最大幅は、前記第２部の他の半部の最大幅よりも小さい。
【０００８】
また、前記第２部は、前記第２端側にある第２端部を有し、前記第２端部の短手方向の断面における断面視形状は、略半円状、又は略Ｃ字状であってもよい。
【０００９】
また、前記第１部は、第１端部と、前記第１端部と前記中央部との間に位置する第１本部とを有し、前記第２部は、第２端部と、前記第２端部と前記中央部との間に位置する第２本部とを有し、前記第２本部の表面の最小曲率半径は、前記第１本部の表面の最小曲率半径よりも小さく形成されてもよい。
【００１０】
また、前記第２端部の端面の最大曲率半径は、前記第１端部の端面最大曲率半径よりも大きく形成されてもよい。
【００１１】
また、前記パッド本体部の短手方向の断面においてにおいて、前記第２外面の表面の断面視の曲線の長さは、前記第１外面の表面の断面視の曲線の長さよりも長く形成されてもよい。
【００１２】
また、前記中央表面は、少なくとも一部がほぼ平面であってもよい。
【００１３】
また、前記パッド接続部は、前記パッド本体部の長手方向の略中央側に位置し、前記パッド本体部は、前記パッド接続部の位置を基準として、長手方向対称に形成されてもよい。
【００１４】
また、前記パッド本体部と前記パッド接続部とは、同一の材料によって一体に構成されている単一部材であってもよい。
【００１５】
また、前記パッド本体部と前記パッド接続部との材料は、金属であってもよい。
【００１６】
前記ノーズパッドは、前記パッド接続部に代えて、前記パッド本体部によって前記アイウエアと連結されてもよい。
【００１７】
本発明の一態様におけるアイウエアは、上述した何れかのノーズパッドを有してもよい。
【発明の効果】
【００１８】
本発明によれば、様々な形状を有する鼻にフィットすることができるとともに、鼻への負担を軽減してノーズパッド及びアイウエアの使用感を向上することができる。
【図面の簡単な説明】
【００１９】
【図１】本実施の形態に係るアイウエアの全体構成図である。
【図２】本実施の形態に係るフロントの構成を説明するための図である。
【図３】（ａ）〜（ｃ）は、本実施の形態に係るノーズパッドの構成を説明するための図である。
【図４】図３（ａ）のＡ−Ａ線断面図である。
【図５】（ａ）、（ｂ）は、本実施の形態に係るノーズパッドの使用状態を説明するための図である。
【図６】（ａ）〜（ｃ）は、他の実施の形態に係るノーズパッドの構成を説明するための図である。
【発明を実施するための形態】
【００２０】
以下、図面を参照して本発明の実施の形態を詳細に説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２１】
［実施例］
＜メガネ１００＞
まず、図１及び図２を参考しつつ、本実施の形態に係るメガネ１００の全体構造について説明する。図１は、本実施の形態に係るメガネ１００の全体構成図であり、図２は、本実施の形態に係るフロント１４０の構成を説明するための斜視図である。
【００２２】
図１に示すように、メガネ１００は、アイウエアの一例であり、一対のレンズ１１０と、フレーム１２０とを備えている。なお、本実施の形態では、レンズ１１０を一対のものとして説明するが、必ずしも一対である必要がない。また、本実施の形態では、レンズ１１０をメガネ１００の構成として説明するが、レンズ１１０自体は、必ずしもメガネ１００に必要な構成ではない。
【００２３】
フレーム１２０は、例えば、フロント１４０と、フロント１４０の左右側の両端に回転可能に連結されている一対のテンプル１８０と、一対のテンプル１８０の後方側に取り付けられている一対のモダン１６０とを備えている。また、フレーム１２０は、一対のレンズ１１０を保持するとともに、使用者の目及び頭部に対してレンズ１１０及びフロント１４０を適切な姿勢に保持する。
【００２４】
フロント１４０は、一対のレンズ１１０を支持する。テンプル１８０は、モダン１６０とともに使用者の側頭部を押圧して、この部位を挟持する。また、モダン１６０は、使用者の耳の上部及び後方に接触して、メガネ１００の落下を防止する。なお、モダン１６０は、必ずしもメガネ１００に必要な構成ではない。
【００２５】
以下の説明では、便宜上のために、図１に示すフロント１４０の長手方向を「左右方向」とし、図１に示すフロント１４０の短手方向を「上下方向」とする。本実施の形態に係るメガネ１００は、後述する眉間部（ブリッジ）１４２を中心として左右対称に形成されている。このため、以下の説明では、左右対称の構成について左右を区別せず、図面の何れかの一方側にある構成にのみ符号を付して説明する。
【００２６】
フロント１４０は、例えば、左右方向に沿って伸びる板状構成であり、使用者の顔面に沿うように前方に突出するように湾曲している。また、フロント１４０は、中央にある眉間部１４２と、眉間部１４２の裏面の左右両側に取り付けられている一対のノーズパッド組立体１４４と、眉間部１４２の左右両端に形成されている一対のリム１４６と、一対のリム１４６の各端部に形成されている一対のヨロイ１４７と、一対のヨロイ１４７の裏面に取り付けられている一対の第１丁番部分１４８とを有している。
【００２７】
眉間部１４２は、フロント１４０（メガネ１００）の左部分及び右部分を繋ぐ。また、眉間部１４２は、例えば、湾曲した板状部材であり、樹脂等によって形成されている。
【００２８】
ノーズパッド組立体１４４は、使用者の鼻を両脇（両側の鼻屋部）から挟むことでフロント１４０を支持し、このフロント１４０の使用者の目に対する高さ、上下方向の位置、左右方向の位置、前傾角等を調整、維持する。また、ノーズパッド組立体１４４は、例えば、ノーズパッド１５０と、このノーズパッド１５０を支持しながらフロント１４０に連結する支持部１４５と、を有するクリングスタイプである。支持部１４５を調整してノーズパッド１５０の姿勢を変化させることで、フロント１４０が使用者の鼻及び目に対する姿勢を微調整することが可能になる。また、ノーズパッド１５０の詳細について、後述する。
【００２９】
リム１４６は、レンズ１１０を保持する。また、リム１４６は、例えば、レンズ１１０の形状を沿うように形成されているリング状部材であり、樹脂等によって形成されている。
【００３０】
ヨロイ１４７には、第１丁番部分１４８が形成されている。また、ヨロイ１４７は、例えば、湾曲した板状部材であり、樹脂等によって形成されている。第１丁番部分１４８は、凹字形状をなしている。
【００３１】
テンプル１８０は、側頭部にフィットするように湾曲している部材である。このテンプル１８０の先端側に、板状形状を有する第２丁番部分（図示せず）が形成されている。第２丁番部分は、ヨロイ１４７に形成されている第１丁番部分１４８と組み合わせることで、丁番を構成する。こうして、テンプル１８０は、丁番を介して、フロント１４０と挟む角度が最も小さい折畳位置からこのフロント１４０と挟む角度が最も大きい開き位置までの範囲において回転可能に連結されている。
【００３２】
＜ノーズパッド１５０＞
続いて、図３及び図４を参照しつつ、本実施形態に係るノーズパッド１５０の構成について詳細に説明する。図３は、本実施の形態に係るノーズパッド１５０の構成を説明するための図であり、図３（ａ）は、図１において左側、すなわち着用者の右目側のノーズパッド１５０の後述する裏面１５０３側の構成を示す図であり、図３（ｂ）は、ノーズパッド１５０の短手方向の形状を示す図３（ａ）の下方から見た図であり、図３（ｃ）は、ノーズパッド１５０の長手方向の形状を示す図３（ａ）の右側方から見た図である。また、図４は、図３（ａ）のＡ−Ａ線断面図である。
【００３３】
以下では、説明の便宜上のために、メガネ１００が着用される状態を「着用状態」とする。ノーズパッド１５０の長手方向を「上下方向」とし、ノーズパッド１５０の短手方向を「左右方向」とし、後述するパッド接続部１５０ｂの突起方向を「高さ方向」とすることがある。また、高さ方向／長手方向に沿って平面視する場合のノーズパッド１５０（後述するパッド本体部１５０ａ）形状を「主面（表面／裏面）の平面視形状」又は「短手方向の平面視形状」とする。さらに、ノーズパッド１５０（後述するパッド本体部１５０ａ）の短手方向と平行する断面を「短手方向の断面」とし、長手方向と平行する断面を「長手方向の断面」とする。
【００３４】
本実施形態に係るノーズパッド１５０は、パッド本体部１５０ａと、このパッド本体部１５０ａから突起しているパッド接続部１５０ｂとを有する。ここで、ノーズパッド１５０は、例えば、パッド本体部１５０ａ及びパッド接続部１５０ｂが同一の材料によって一体に構成されている単一部材である。また、ノーズパッド１５０の材料は、例えば、チタン等の金属であってもよい。
【００３５】
また、ノーズパッド１５０は、上下対称、かつ左右非対称の形状をなしている。上下対称とすることで、１種類のノーズパッド１５０を１８０度回転させて左右両方のノーズパッドとして使用することができる。また、このノーズパッド１５０は、パッド接続部１５０ｂを介して、支持部１４５（図２参照）に対して所定の範囲において可動に連結されている。
【００３６】
パッド接続部１５０ｂは、ノーズパッド１５０（パッド本体部１５０ａ）の裏面側から突起している矩形体形状を有するものである。このパッド接続部１５０ｂは、パッド本体部１５０ａの長手方向の略中央、かつパッド本体部１５０ａの短手方向の中央側の右側（第１端面１５１２側）、すなわち鼻筋側に偏って位置する。また、パッド接続部１５０ｂには、支持部１４５への連結用のねじを通過する貫通孔１５５が形成されている。
【００３７】
パッド本体部１５０ａは、三次元に湾曲している板状部材であり、上下対称、かつ左右非対称の形状をなしている。また、図３（ａ）に示すように、パッド本体部１５０ａの主面（裏面）の平面視形状は、略楕円形である。さらに、本実施形態に係るパッド本体部１５０ａでは、板形状の中央部分が周縁部分の一部よりも薄く形成されている。また、パッド本体部１５０ａは、着用状態において使用者の鼻、具体的には、鼻の鼻側面及び鼻基部と接触する。ここで、「鼻側面」は、鼻筋の両側にある斜面であり、「鼻基部」は、鼻の頬等に繋がる面である。一般的には、鼻側面の形状は、ほぼ平面状の斜面であり、鼻基部の形状は、湾曲する凹面である。
【００３８】
また、パッド本体部１５０ａは、短手方向の右側から左側の順に、第１部１５１、中央部１５３、及び第２部１５２を有する。中央部１５３は、パッド接続部１５０ｂの高さ方向に見た場合の下方に接続し、第１部１５１及び第２部１５２によって挟まれた部分である。着用状態において、第１部１５１は、鼻筋側（鼻の内側）に向かい、第２部１５２は、鼻筋から離れる側（鼻の外側にある目側）に向かっている。なお、右側は「第１端側」に対応し、左側は「第２端側」に対応する。
【００３９】
また、パッド本体部１５０ａは、湾曲している本体外面１５００を有する。図３（ｃ）に示すように、この本体外面１５００は、表面１５０１と、裏面１５０３と、表面１５０１及び裏面１５０３を連結する端面１５０２とを含む。裏面１５０３は、パッド本体部１５０ａのパッド接続部１５０ｂ側にある凹面であり、表面１５０１は、裏面１５０３に対向する側にある凸面である。また、端面１５０２は、表面１５０１及び裏面１５０３の周囲にある凸面である。すなわち、端面１５０２は、パッド本体部１５０ａの周縁部分の凸面を構成している。
【００４０】
また、本体外面１５００と、第１部１５１、第２部１５２及び中央部１５３との関係から捉えると、図３（ａ）に示すように、本体外面１５００は、第１部１５１の湾曲する第１外面１５１０と、第２部１５２の湾曲する第２外面１５２０と、中央部の湾曲する中央外面１５３０とによって構成されている。また、図３（ｂ）に示すように、第１外面１５１０は、第１表面１５１１、第１裏面１５１３及び第１端面１５１２を有し、第２外面１５２０は、第２表面１５２１、第２裏面１５２３及び第２端面１５２２を有し、中央外面１５３０は、中央表面１５３１、中央裏面１５３３及び中央端面１５３２を有する。こうして、第１表面１５１１、第２表面１５２１及び中央表面１５３１は、表面１５０１を構成する。同様に、第１端面１５１２、第２端面１５２２及び中央端面１５３２は、端面１５０２を構成し、第１裏面１５１３、第２裏面１５２３及び中央裏面１５３３は、裏面１５０３を構成する。なお、これらの面を区別しない場合、第１部１５１、第２部１５２及び中央部１５３のそれぞれの外面／表面／端面／裏面とすることがある。
【００４１】
本実施形態では、着用状態において、パッド本体部１５０ａが使用者の何れの一方側の鼻側面と接触する。ここで、パッド本体部１５０ａの主面の平面視形状が略楕円形であるため、着用状態において、この略楕円形状の短軸の両端部分が、使用者の鼻に対して最も当たりが強い部分になり、すなわち、最も使用感に影響を与える部分になる。このため、以下では、パッド本体部１５０ａのこの短軸を通過するＡ−Ａ線断面の構成を詳細に説明する。
【００４２】
図４に示すように、第１部１５１、中央部１５３及び第２部１５２のそれぞれの表面及び端面が滑らかに接続して凸面を構成している。
【００４３】
中央部１５３は、湾曲度合が小さい部分である。中央部１５３の中央表面１５３１は、ほぼ平面をなしている。また、中央部１５３の幅Ｔ３は、ほぼ均一に形成されている。
【００４４】
ここで、中央部１５３の「幅」とは、例えば、中央部１５３の中央外面１５３０の任意の一点と、この一点から内部に延ばした法線が最後（この中央部１５３では、２回目）に、中央外面１５３０に交差する点との距離である。
【００４５】
第１部１５１は、中央部１５３よりも湾曲している。この第１部１５１は、中央部１５３の右側に接続している第１本部１５１ａと、右側の端部を形成している第１端部１５１ｂとを有する。図４に示すように、短手中央断面において、第１本部１５１ａが湾曲する形状であり、第１端部１５１ｂは略半円形である。
【００４６】
また、第１本部１５１ａの短手方向の長さはＬ１であり、第１本部１５１ａの第１表面１５１１の最小曲率半径はＲ１である。第１端部１５１ｂの第１端面１５１２の最大曲率半径はｒ１であり、第１端部１５１ｂにおける高さ方向の高さはＨ１である。また、第１本部１５１ａの幅Ｔ１は、ほぼ均一に形成されており、中央部の幅Ｔ３とほぼ同じである。
【００４７】
ここで、第１本部１５１ａの「幅」とは、例えば、第１本部１５１ａの第１外面１５１０の任意の一点と、この一点から内部に延ばした法線が最後（この第１本部１５１ａでは、２回目）に、第１外面１５１０に交差する点との距離である。
【００４８】
第２部１５２は、第１部１５１よりも湾曲している。この第２部１５２は、中央部１５３の左側に接続している第２本部１５２ａと、左側の端部を形成している第２端部１５２ｂとを有する。図４に示すように、短手中央断面において、第２本部１５２ａが湾曲する逆テーパ状であり、第２端部１５２ｂは略半円形である。
【００４９】
また、第２本部１５２ａの短手方向の長さはＬ２であり、第２本部１５２ａの第２表面１５２１の最小曲率半径はＲ２である。第２端部１５２ｂの第２端面１５２２の最大曲率半径はｒ２であり、第２端部１５２ｂにおける高さ方向の高さはＨ２である。
【００５０】
ここで、第２本部１５２ａの長さＬ２は、第１本部１５１ａの長さＬ１よりも長く、第２端部１５２ｂの高さＨ２は、第１端部１５１ｂの高さＨ１よりも高い。また、第２本部１５２ａの第２表面１５２１の最小曲率半径Ｒ２は、第１本部１５１ａの第１表面１５１１の最小曲率半径Ｒ１よりも小さく形成されてもよく、第２端部１５２ｂの第２端面１５２２の最大曲率半径ｒ２は、第１端部１５１ｂの第１端面１５１２の最大曲率半径ｒ１よりも大きく形成されてもよい。このような構成によって、パッド本体部１５０ａは、より鼻の鼻側面及び鼻基部の形状に沿うことができる。
【００５１】
なお、図４に示すように、第２端部１５２ｂの高さＨ２及び第１端部１５１ｂの高さＨ１の何れも、パッド接続部１５０ｂの貫通孔１５５の円周の最も下部の高さＨ３よりも低い。こうして、ねじが、第１部１５１及び第２部１５２と干渉することがなく、第１部１５１側からも、第２部１５２側からも自由にねじ込むことができ、作業の自由度を向上することができる。
【００５２】
さらに、中央部１５３及び第１部１５１と異なり、第２部１５２の幅は均一なものではない。ここで、第２本部１５２ａの「幅」とは、例えば、第２本部１５２ａの第２外面１５２０の任意の一点と、この一点から内部に延ばした法線が最後（この第２部１５２では、２回目）に、第２外面１５２０に交差する点との距離である。
【００５３】
第２部１５２では、中央部１５３側の半部の最大幅Ｔ２´は、他の半部の最大幅Ｔ２よりも小さい。ここで、第２部１５２の「半部」とは、第２部１５２の左右方向の略中央を境に、この境の両側の何れかの一方にある部分である。また、第２部１５２の断面積又は体積の略半分に該当する部分として捉えてもよい。本実施形態では、第２部１５２の幅（第２端部１５２ｂを除き）は、中央部１５３側から左側に向かって徐々に大きくなっている。第２部１５２の中央部１５３側の半部の最大幅Ｔ２´は、中央部１５３の幅Ｔ３よりも大きい。
【００５４】
なお、パッド本体部１５０ａの構成は、Ａ−Ａ線断面の構成から長手方向の両側に向かってに徐々に変化していくが、長さＬ１、長さＬ２、高さＨ１、高さＨ２、最小曲率半径Ｒ１、最小曲率半径Ｒ２、最大曲率半径ｒ１、及び最大曲率半径ｒ２によって定められたその他の短手方向の断面構成の特徴やそれぞれの関係性は、Ａ−Ａ線断面の構成と同様である。このため、その他の短手方向の断面構成の説明を省略する。
【００５５】
こうして、上述したような形状を有する第１部１５１、第２部１５２及び中央部１５３を採用することで、より様々な使用者の鼻の形にフィットすることを実現することができる。また、このようなフィットによって、ノーズパッド１５０と鼻との接触面積が増加され、ノーズパッド１５０が鼻に強く押すことで、鼻の表面に食い込むこと等による鼻への負担を軽減することができる。よって、ノーズパッド１５０の使用感を向上することができる。なお、パッド本体部１５０ａの様々な使用者の鼻の形における使用状態の詳細は、後のノーズパッド１５０の使用状態において説明する。
【００５６】
＜ノーズパッド１５０の使用状態＞
最初に、ノーズパッド１５０と鼻とのフィット度と、メガネ１００に使用感との関係について簡単に説明する。フロント１４０の重量は、ほぼノーズパッド１５０を介して使用者の鼻に伝わる。ノーズパッド１５０と鼻との接触面積が大きいほど、鼻が受けるフロント１４０からの圧力が小さくなる。よって、鼻がノーズパッド１５０に押圧されることによる痛みが減少され、メガネ１００の使用感を向上することができる。逆に、ノーズパッド１５０と鼻との接触面積が小さいほど、鼻が受けるフロント１４０からの圧力が大きくなる。よって、ノーズパッド１５０が鼻の表面に食い込むこと等による鼻の痛みが生じ易くなり、メガネ１００の使用感が悪化してしまう。
このため、メガネ１００の使用感を向上するために、ノーズパッド１５０と鼻とのフィット度を向上する必要がある。本実施形態に係るノーズパッド１５０は、後述する特徴を有する三次元曲面によって、様々な使用者の鼻の形にフィットすることを実現している。
【００５７】
続いて、図５の（ａ）、（ｂ）を参照しつつ、本実施の形態に係るノーズパッド１５０の使用状態を説明する。図５の（ａ）、（ｂ）は、使用者の頭部の上方から、鼻に向かって見たときのノーズパッド１５０の使用状態（様子）を示す図である。図５（ａ）は、第１形状の鼻を有する使用者がメガネ１００を着用する際におけるノーズパッド１５０の使用状態を示す図であり、図５（ｂ）は、第２形状の鼻を有する使用者がメガネ１００を着用する際におけるノーズパッド１５０の使用状態を示す図である。また、第２形状の鼻の高さは、第１形状の鼻の高さよりも高く、第２形状の鼻側面が挟む角度は、第１形状の鼻側面が挟む角度よりも小さい。言い換えれば、第１形状の鼻側面の頬等に対する傾斜程度は、第２形状の鼻側面の同傾斜程度よりも緩やかになっている。
【００５８】
図５（ａ）は、ノーズパッド１５０の第１部１５１及び中央部１５３が、第１形状の鼻と接触している様子を示す。より詳細に説明すると、この場合において、第１表面１５１１及び中央表面１５３１が第１形状の鼻側面と接触する。なお、支持部１４５の調整等によって、中央表面１５３１及び第２表面１５２１が、第１形状の鼻と接触する場合もある。
【００５９】
こうして、第１部１５１及び中央部１５３が第１形状の鼻と接触する場合では、湾曲度合が小さい第１表面１５１１及びほぼ平面である中央表面１５３１が、ほぼ平面である第１形状の鼻側面と接触するので、ノーズパッド１５０が第１形状の鼻とフィットする。また、中央部１５３及び第２部が第１形状の鼻と接触する場合では、ほぼ平面である中央表面１５３１が第１形状の鼻側面と接触し、湾曲度合が大きい第２表面１５２１が第１形状の鼻基部と接触するので、ノーズパッド１５０が第１形状の鼻とフィットする。
【００６０】
図５（ｂ）は、ノーズパッド１５０の第１部１５１、中央部１５３及び第２部１５２が、第２形状の鼻と接触する様子を示す。より詳細に説明すると、この場合において、第１表面１５１１及び中央表面１５３１が第２形状の鼻側面と接触し、第２表面１５２１及び第２端面１５２２が第２形状の鼻基部と接触する。
【００６１】
こうして、湾曲度合が小さい第１表面１５１１及びほぼ平面である中央表面１５３１が、ほぼ平面である第１形状の鼻側面と接触し、また、湾曲度合が大きい第２表面１５２１及び第２端面１５２２が第１形状の鼻基部と接触するので、ノーズパッド１５０が第２形状の鼻とフィットする。
【００６２】
このように、本実施形態に係るノーズパッド１５０では、三次元曲面構成する第１表面１５１１、中央表面１５３１、第２表面１５２１及び第２端面１５２２の組み合わせによって、様々な使用者の鼻の形にフィットさせて、ノーズパッド１５０と鼻との接触面積を増加させることができる。また、このような接触面積の増加によって、ノーズパッド１５０によって鼻に加えられる圧力が減少される。この結果、ノーズパッド１５０が鼻に強く当たることで鼻の表面に食い込むこと等が生じ難くなり、ノーズパッド１５０から鼻への負担を軽減することができる。
従って、本実施形態に係るノーズパッド１５０によれば、ノーズパッド１５０の使用感の向上を実現することができる。
【００６３】
［変形例］
本発明は、上記実施形態に限定されることなく種々に変形して適用することが可能である。以下では、本発明に係る変形例について説明する。
【００６４】
上記実施形態では、短手方向の断面視形状が略半円状である第２端部１５２ｂについて説明したが、第２端部１５２ｂは、このような形状に限定されるものではない。以下では、図６（ａ）乃至（ｃ）を用いて、ノーズパッド１５０の様々な変形例について説明する。なお、以下の説明では、変形例に係るノーズパッド１５０と本実施形態に係るノーズパッド１５０との相違点のみについて説明する。
【００６５】
図６（ａ）に示す変形例では、第２端部１５２ｂの短手方向の断面視形状が略Ｃ字状になっている。このＣ字状の第２端部１５２ｂの第２端面の最大曲率半径はｒ２であり、第２部１５２の最大幅はＴ２である。この変形例では、第２端部１５２ｂの最大幅Ｔ２を規定する法線は、第２外面１５２０上の始点から開始した後、第２外面１５２０に３回交差する。したがって、最大幅Ｔ２は、始点と、最後（図６（ａ）に係る例では、４回目）に交差した点との距離によって表されることになる。
【００６６】
図６（ｂ）に示す変形例では、第２端部１５２ｂの短手方向の断面視形状が略半円状になっているが、第２部１５２の内部に空間１５２ｓが形成されている。この内部に空間１５２ｓを有する第２部１５２の第２端面の最大曲率半径はｒ２であり、第２部１５２の最大幅はＴ２である。この変形例では、第２端部１５２ｂの最大幅Ｔ２を規定する法線は、第２外面１５２０上の始点から開始した後、空間１５２ｓを画定する面に２回交差したのち、第２外面に交差する。したがって、最大幅Ｔ２は、始点と、最後（図６（ｂ）に係る例では、第２外面１５２０と２回目）に交差した点との距離によって表されることになる。
【００６７】
図６（ｃ）に示す変形例では、第２端部１５２ｂの短手方向の断面視形状が略半円状になっているが、第２部１５２の第２裏面１５２３が凹凸形状になっている。この凹凸形状である第２裏面１５２３を有する第２部１５２の第２端面の最大曲率半径はｒ２であり、第２部１５２の最大幅はＴ２である。この変形例では、第２端部１５２ｂの最大幅Ｔ２を規定する法線は、第２外面１５２０上の始点から開始した後、第２外面１５２０に３回交差する。したがって、最大幅Ｔ２は、始点と、最後（図６（ｃ）に係る例では、４回目）に交差した点との距離によって表されることになる。
【００６８】
上記実施形態では、チタンによって構成されている単一部材のノーズパッド１５０について説明したが、このような構成に限定されるものではない。例えば、ノーズパッド１５０のパッド本体部１５０ａ及びパッド接続部１５０ｂが別々に製造された後に、接着や溶接等によって一体に連結されたものであってもよい。また、例えば、ノーズパッド１５０は、金属以外の材料、例えば樹脂によって構成されてもよい。また、例えば、パッド本体部１５０ａ及びパッド接続部１５０ｂは、異なる材料によって構成されてもよい。
【００６９】
上記実施形態では、ノーズパッド１５０（パッド本体部１５０ａ）を上下対称かつ左右非対称のものとして説明したが、このような構成に限定されるものではなく、例えば、上下非対称かつ左右非対称のものであってもよい。
【００７０】
上記実施形態では、メガネ１００は一対のノーズパッド１５０を採用したものとして説明したが、このような構成に限定されるものではなく、左右で異なるノーズパッドを採用してもよい。
【００７１】
上記実施形態では、ノーズパッド１５０がパッド接続部１５０ｂを介して支持部１４５と連結している構成として説明したが、このような構成に限定されるものではなく、例えば、パッド接続部１５０ｂを採用せず、ノーズパッド１５０、すなわちパッド本体部１５０ａが直接支持部１４５と連結する構成であってもよい。
【００７２】
以上、本発明について実施例及び変形例を用いて説明したが、本発明の技術的範囲は上記実施例及び変形例に記載の範囲には限定されない。上記実施例及び変形例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００７３】
１００  メガネ
１４０  フロント
１４４  ノーズパッド組立体
１５０  ノーズパッド
１５０ａ  パッド本体部
１５０ｂ  パッド接続部
１５１  第１部
１５２  第２部
１５３  中央部
１８０  テンプル
【図１】
2020201298.tif 000003
【図２】
2020201298.tif 000004
【図３】
2020201298.tif 000005
【図４】
2020201298.tif 000006
【図５】
2020201298.tif 000007
【図６】
2020201298.tif 000008
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
アイウエアに使用されるノーズパッドであって、
前記ノーズパッドは、
湾曲する本体外面を有するパッド本体部と、
前記パッド本体部から突起し、前記パッド本体部の短手方向の第１端側に偏って位置するパッド接続部と、
を備え、
前記パッド本体部は、前記第１端側に位置し湾曲する第１外面を有する第１部と、前記第１端側に対向する第２端側に位置し湾曲する第２外面を有する第２部と、前記第１部及び前記第２部の間に位置し前記パッド接続部に接続する中央部と、を有し、
前記アイウエアの着用状態において、前記第１部は、鼻筋側に向かい、前記第２部は、鼻筋から離れる側に向かっており、
前記突起する方向を高さ方向とした場合、前記第１部の高さは前記第２部の高さよりも低く、
前記第２部は、前記第２部における前記短手方向の中央を境に、前記境から前記中央部側の第１の半部と、前記境から前記第２端側の第２の半部とを有し、前記第１の半部の最大幅は、前記第２の半部の最大幅よりも小さい、
ノーズパッド。
【請求項２】
前記第２部は、前記第２端側にある第２端部を有し、
前記第２端部の短手方向の断面における断面視形状は、略半円状、又は略Ｃ字状である、請求項１に記載のノーズパッド。
【請求項３】
前記第１部は、第１端部と、前記第１端部と前記中央部との間に位置する第１本部とを有し、
前記第２部は、第２端部と、前記第２端部と前記中央部との間に位置する第２本部とを有し、
前記第２本部の表面の最小曲率半径は、前記第１本部の表面の最小曲率半径よりも小さい、請求項１又は２に記載のノーズパッド。
【請求項４】
前記第２端部の端面の最大曲率半径は、前記第１端部の端面の最大曲率半径よりも大きい、請求項３に記載のノーズパッド。
【請求項５】
前記パッド本体部の短手方向の断面において、前記第２外面の表面の断面視の曲線の長さは、前記第１外面の表面の断面視の曲線の長さよりも長い、請求項３又は４の何れか一項に記載のノーズパッド。
【請求項６】
前記中央部の中央表面は、少なくとも一部がほぼ平面である、請求項１乃至５の何れか一項に記載のノーズパッド。
【請求項７】
前記パッド接続部は、前記パッド本体部の長手方向の略中央に位置し、
前記パッド本体部は、前記パッド接続部の位置を基準として、長手方向対称に形成されている、請求項１乃至６の何れか一項に記載のノーズパッド。
【請求項８】
前記パッド本体部と前記パッド接続部とは、同一の材料によって一体に構成されている単一部材である、請求項１乃至７の何れか一項に記載のノーズパッド。
【請求項９】
前記パッド本体部と前記パッド接続部との材料は、金属である、請求項８に記載のノーズパッド。
【請求項１０】
前記ノーズパッドは、前記パッド接続部に代えて、前記パッド本体部によって前記アイウエアと連結されている、請求項１乃至９の何れか一項に記載のノーズパッド。
【請求項１１】
請求項１乃至１０の何れか一項に記載のノーズパッドを有する、アイウエア。